(57)【特許請求の範囲】
【請求項１】
走行用のレールの下側に隙間を設けてスライドパネルを配設した可動間仕切りにおいて、スライドパネル上面までの脚長で納まる軟質のヒレ状体をスライドパネルの上面に当接させずにレール下面長手側両縁部の略全長に渡って対向して垂設すると共に、スライドパネル上面に、ヒレ状体中程までの高さとなる縦板を対向するヒレ状体の内側に立設したことを特徴とする可動間仕切り。
【請求項２】
スライドパネル上面にレールと係合する走行具を設けると共に、該走行具の両側に縦板を立設したことを特徴とする請求項１記載の可動間仕切り。
【請求項３】
横断面形状が略左右対称となる凸型階段状の実部を略全長に渡って備えた長尺の雄実状連接具をスライドパネルの側面略全長に設け、隣接するスライドパネルの隣接面略全長に該実部と嵌合する長尺の雌実状連接具を設け、雄実状連接具と雌実状連接具を嵌合することで複数のスライドパネルを横列状に連接すると共に、最端に位置するスライドパネルの外側方に、壁寄りの吊元側に雄実状連接具を備えた回動式のドアパネルと、内側面略全長に軟質の縦枠用ヒレ状体を有する縦枠と、を回動用の隙間を設けて配設し、雄実状連接具の実部に形成された段部と縦枠用ヒレ状体の先端部とを近接配置することで、ドアパネル開閉の際、縦枠用ヒレ状体が雄実状連接具に押接されるようにしたことを特徴とする請求項１又は２記載の可動間仕切り。
【請求項４】
縦枠の横断面形状を略Ｌ字型とし、一辺を壁面から突出させることで片側についてのみドアパネルを回動可能とすると共に、壁面から突出させた辺の内側に縦枠用ヒレ状体を設けたことを特徴とする請求項３記載の可動間仕切り。
【発明の詳細な説明】
【０００１】
【発明の属する技術分野】
本発明は、走行用のレールの下側に隙間を設けてスライドパネルを配設した可動間仕切りに関するものである。
【０００２】
【従来の技術】
従来から、図７、８に示すように可動間仕切りは、天井に取り付けられる走行用のレール（１）と、壁面（１１）に取付けられる縦枠（１０）と、レール（１）に係合する走行具（５）を上面に有するスライドパネル（２）と、最端のスライドパネル（２）の外側方で回動するドアパネル（８）とを備えていた。このものは、レール（１）とスライドパネル（２）の間、縦枠（１０）とドアパネル（８）の間に各々隙間を設けて配設されるのが通例となっていた。
【０００３】
これにより、スライドパネル（２）はレール（１）に擦れることなく走行でき、ドアパネル（８）も縦枠（１０）に当ることなく開閉することができた。
【０００４】
ところが、走行用の隙間とか開閉用の隙間を設けて配設すると、隙間部分から隣の光が漏れてきてしまい、見苦しいという問題が生じてしまう。
【０００５】
そこで、図４乃至６に示すように、短尺のヒレ状体（３’）であるモヘアを設け、光が漏れてくるのを防ぐようなものが考案された。
【０００６】
【発明が解決しようとする課題】
しかしながら、上記従来の技術においては、ヒレ状体（３’）とスライドパネル（２）との間に依然として隙間を残す必要があり、ドアパネル（８）側も同様に程度の差こそあれ隙間を残す必要があった。即ち、ヒレ状体（３’）をスライドパネル（２）に当接させてしまうと、走行の度にヒレ状体（３’）とスライドパネル（２）が擦れ、擦れる音とか削りカスとかが発生し、使いにくい物となってしまう。これを防ぐには、どうしても隙間を残す必要があり、その結果、隣からの光が漏れてきてしまうという問題を解決することができずにいた。
【０００７】
本発明は、上記事由に鑑みてなしたもので、その目的とするところは、ヒレ状体をスライドパネルに当接させることなくレールとスライドパネルとの隙間から漏れてくる光の進入を防ぐことのできる可動間仕切りを提供することにある。
【０００８】
【課題を解決するための手段】
上記目的を達成するために、本発明の可動間仕切りにあっては、請求項１に記載したように、走行用のレールの下側に隙間を設けてスライドパネルを配設した可動間仕切りにおいて、スライドパネル上面までの脚長で納まる軟質のヒレ状体をスライドパネルの上面に当接させずにレール下面長手側両縁部の略全長に渡って対向して垂設すると共に、スライドパネル上面に、ヒレ状体中程までの高さとなる縦板を対向するヒレ状体の内側に立設している。
【０００９】
これにより、ヒレ状体をスライドパネルに当接させることなくレールとスライドパネルとの隙間から漏れてくる光の進入を防ぐことができる。即ち、ヒレ状体と縦板は間仕切った空間側からみると重なり合っているので、光を通すことがない。更に、ヒレ状体はスライドパネル上面までの脚長で納まるものとし、縦板はヒレ状体中程までの高さとしているので、スライドパネルに対して擦れが生じることもない。その結果、ヒレ状体をスライドパネルに当接させることなくレールとスライドパネルとの隙間から漏れてくる光の進入を防ぐことができる。
【００１０】
又、本発明の可動間仕切りにあっては、請求項２に記載したように、スライドパネル上面にレールと係合する走行具を設けると共に、該走行具の両側に縦板を立設しても良い。
【００１１】
この場合、走行具をヒレ状体と縦板とで隠すことができる。即ち走行具の両側にヒレ状体と縦板を配するので間仕切った空間側から走行具を見えなくすることができる。走行具も見栄えの良いものとはいえないので、それを隠すことで意匠性を向上させることができる。
【００１２】
又、本発明の可動間仕切りにあっては、請求項３に記載したように、横断面形状が略左右対称となる凸型階段状の実部を略全長に渡って備えた長尺の雄実状連接具をスライドパネルの側面略全長に設け、隣接するスライドパネルの隣接面略全長に該実部と嵌合する長尺の雌実状連接具を設け、雄実状連接具と雌実状連接具を嵌合することで複数のスライドパネルを横列状に連接すると共に、最端に位置するスライドパネルの外側方に、壁寄りの吊元側に雄実状連接具を備えた回動式のドアパネルと、内側面略全長に軟質の縦枠用ヒレ状体を有する縦枠と、を回動用の隙間を設けて配設し、雄実状連接具の実部に形成された段部と縦枠用ヒレ状体の先端部とを近接配置することで、ドアパネル開閉の際、縦枠用ヒレ状体が雄実状連接具に押接されるようにしても良い。
【００１３】
この場合、ドアパネルの吊元側から漏れてくる光の進入を防ぐことができる。即ち、雄実状連接具は横断面形状が略左右対称となる凸型階段状の実部を略全長に渡って備えているので、それによって形成される段部で光を遮ることができる。段部に当った光はその段部に吸収されてしまうのでドアパネルの反対側に迄届くことがない。
【００１４】
又、縦枠の内側面略全長には軟質の縦枠用ヒレ状体を設けているので、段部の外側から漏れてくる光は該縦枠用ヒレ状体で遮ることができる。
【００１５】
又、雄実状連接具の実部に形成された段部と縦枠用ヒレ状体の先端部とを近接配置することで、ドアパネル開閉の際、縦枠用ヒレ状体が雄実状連接具に押接されるので、開閉の際にも光が漏れてくることはない。
【００１６】
又、本発明の可動間仕切りにあっては、請求項４に記載したように、縦枠の横断面形状を略Ｌ字型とし、一辺を壁面から突出させることで片側についてのみドアパネルを回動可能とすると共に、壁面から突出させた辺の内側に縦枠用ヒレ状体を設けても良い。
【００１７】
この場合、ヒレ状体を目立たなくすることができる。縦枠の壁面から突出させた一辺の内側にヒレ状体を設けるので間仕切った空間からみえにくくすることができる。
【００１８】
【発明の実施の形態】
図１乃至３は、本発明の請求項１乃至４に対応する一実施の形態の可動間仕切りを示す説明図である。図７、８は従来の技術を示す概略斜視図であると同時に本実施の形態を示す概略斜視図でもある。
【００１９】
この実施の形態の可動間仕切りは、請求項１に記載したように、走行用のレール（１）の下側に隙間を設けてスライドパネル（２）を配設した可動間仕切りにおいて、スライドパネル（２）上面までの脚長で納まる軟質のヒレ状体（３）をレール（１）下面長手側両縁部の略全長に渡って対向して垂設すると共に、スライドパネル（２）上面に、ヒレ状体（３）中程までの高さとなる縦板（４）を対向するヒレ状体（３）の内側に立設している。
【００２０】
又、該実施の形態の可動間仕切りは、請求項２に記載したように、スライドパネル（２）上面にレール（１）と係合する走行具（５）（５’）を設けると共に、該走行具（５）（５’）の両側に縦板（４）を立設してもいる。
【００２１】
又、該実施の形態の可動間仕切りは、請求項３に記載したように、横断面形状が略左右対称となる凸型階段状の実部（６ａ）を略全長に渡って備えた長尺の雄実状連接具（６）をスライドパネル（２）の側面略全長に設け、隣接するスライドパネル（２’）の隣接面略全長に該実部（６ａ）と嵌合する長尺の雌実状連接具（７）を設け、雄実状連接具（６）と雌実状連接具（７）を嵌合することで複数のスライドパネル（２）（２’）を横列状に連接すると共に、最端に位置するスライドパネル（２）の外側方に、壁寄りの吊元側に雄実状連接具（６）を備えた回動式のドアパネル（８）と、内側面略全長に軟質の縦枠用ヒレ状体（９）を有する縦枠（１０）と、を回動用の隙間を設けて配設し、雄実状連接具（６）の実部（６ａ）に形成された段部と縦枠用ヒレ状体（９）の先端部とを近接配置することで、ドアパネル（８）開閉の際、縦枠用ヒレ状体（９）が雄実状連接具（６）に押接されるようにしてもいる。
【００２２】
又、該実施の形態の可動間仕切りは、請求項４に記載したように、縦枠（１０）の横断面形状を略Ｌ字型とし、一辺を壁面（１１）から突出させることで片側についてのみドアパネル（８）を回動可能とすると共に、壁面（１１）から突出させた辺の内側に縦枠用ヒレ状体（９）を設けてもいる。
【００２３】
図７、８に示すように、本実施の形態においては、天井に取り付けられる走行用のレール（１）と、壁面（１１）に取付けられる縦枠（１０）と、レール（１）に係合する走行具（５）（５’）を上面に有するスライドパネル（２）と、最端のスライドパネル（２）の外側方で回動するドアパネル（８）とを備えている。
【００２４】
図１に示すように本実施の形態においては、スライドパネル（２）とレール（１）との間に隙間を設けてある。この隙間は１４．５ミリとする。この隙間を塞ぐ為にヒレ状体（３）と縦板（４）とを設ける。レール（１）の下面両側に対向してヒレ状体（３）を配設する。又、スライドパネル（２）の上面に対向して縦板（４）を配設する。この時、縦板（４）は、スライドパネル（２）上部に設けた走行具（５）（５’）の両側で且つヒレ状体（３）の内側に位置するように配設する。
【００２５】
ヒレ状体（３）は毛足の長いモヘアとし、上部にはレール（１）の下面に設けた溝と嵌合するツバを有している。ツバとモヘアの本体とで断面Ｔ字形としている。
【００２６】
縦板（４）はＥＰＤＭとしている。下部において、走行具（５）（５’）を係止することでスライドパネル（２）と走行具（５）を結合している係止具（１２）に設けた溝と嵌合している。溝は入口が狭く内部で広くなった形状とし、縦板（４）下端部に設けた設けた膨らみが嵌合するようにしている。膨らみは中程がくびれており、くびれ部が溝の入口と嵌合する。
【００２７】
走行具（５）（５’）はスライドパネル（２）の上側両端部に設けられている。
【００２８】
レール（１）は、壁面（１１）にドアパネル（８）とスライドパネル（２）とを重ねて寄せることができるように二又に分岐している。
【００２９】
重ねて寄せる方法については以下の通りとする。ドアパネル（８）を其の吊元を軸として壁面（１１）側に寄せ、スライドパネル（２）を壁側にスライドさせ、壁側の走行具（５）のみを分岐点を通過後壁面（１１）に直線状に延びてゆく本線側のレール（１ａ）に導き入れ、他方の走行具（５’）は分岐点通過後折れ曲がって分かれてゆく支線側のレール（１ｂ）に導き入れ、レール（１）とスライドパネル（２）の上縁とで平面上三角形を形作りながら、支線側のレール（１ａ）に導き入れた走行具（５’）を支線角部（１ｂａ）の方に寄せてゆき、それに伴って本線レール（１ａ）側の走行具（５）を分岐点に引き戻し、各走行具を分岐点と支線角部（１ｂａ）に配置し、スライドパネル（２）を壁面（１１）に対し対向した状態で壁に向って寄せてゆく。
【００３０】
このような方法でスライドパネル（２）を寄せてゆくと、レール（１）とスライドパネル（２）の上縁とで平面上三角形を形作る段階において、ヒレ状体（３）と縦板（４）とが平行状態を保つことができずに交錯する。本実施の形態の場合においては、ヒレ状体（３）、縦板（４）共に軟質の材料を用いているので、交錯の際にも走行に支障をきたすことがない。
【００３１】
図２、３に示すように、本実施の形態においては、ドアパネル（８）の吊元側に雄実状連接具（６）を設けると共に、縦枠（１０）を横断面Ｌ字形とし、壁面（１１）より突出した辺の内側に縦枠用ヒレ状体（９）を設けている。
【００３２】
雄実状連接具（６）は段部を有している。このものは雌実状連接具（７）と嵌合する際においては緩衝材として機能する。段部がないと雄実状連接具（６）の本体部分と雌実状連接具の本体部分とが直接ぶつかることとなり大きな衝撃が発生してしまう。段部を設けることでその衝撃を緩和することができる。本実施の形態においては、このような雄実状連接具（６）をドアパネル（８）の吊元側端部に設けて、遮光具として機能させるようにしている。
【００３３】
ドアパネル（８）側の縦枠（１０）はドアパネル（８）の回動の為に横断面略Ｌ型としている。ドアパネル（８）のない反対側の縦枠（１０’）は横断面略Ｃ型としている。Ｃ型とすることで縦枠（１０’）とスライドパネル（２’）との間からの光の漏れを防ぐことができる。ドアパネル（８）側についてはＣ型とすることができないので、遮光性に劣るＬ型とすると共にこれを補う為の縦枠用ヒレ状体（９）設けている。縦枠用ヒレ状体（９）は毛足の長いモヘアとしている。このものはレール（１）に設けたものと同じものを用いてなる。
【００３４】
したがって、以上説明した可動間仕切りによると、ヒレ状体（３）をスライドパネル（２）に当接させることなくレール（１）とスライドパネル（２）との隙間から漏れてくる光の進入を防ぐことができる。即ち、ヒレ状体（３）と縦板（９）は間仕切った空間側からみると重なり合っているので、光を通すことがない。更に、ヒレ状体（３）はスライドパネル（２）上面までの脚長で納まるものとし、縦板（４）はヒレ状体（３）中程までの高さとしているので、スライドパネル（２）に対して擦れが生じることもない。その結果、ヒレ状体（３）をスライドパネル（２）に当接させることなくレール（１）とスライドパネル（２）との隙間から漏れてくる光の進入を防ぐことができる。
【００３５】
又、走行具（５）（５’）をヒレ状体（３）と縦板（４）とで隠すことができる。即ち走行具（５）（５’）の両側にヒレ状体（３）と縦板（４）を配するので間仕切った空間側から走行具（５）（５’）を見えなくすることができる。走行具（５）（５’）も見栄えの良いものとはいえないので、それを隠すことで意匠性を向上させることができる。
【００３６】
又、ドアパネル（８）の吊元側から漏れてくる光の進入を防ぐことができる。即ち、雄実状連接具（６）は横断面形状が略左右対称となる凸型階段状の実部（６ａ）を略全長に渡って備えているので、それによって形成される段部で光を遮ることができる。段部に当った光はその段部に吸収されてしまうのでドアパネル（８）の裏側に迄届くことがない。
【００３７】
又、縦枠（１０）の内側面略全長には軟質の縦枠用ヒレ状体（９）を設けているので、段部の外側から漏れてくる光は該縦枠用ヒレ状体（９）で遮ることができる。
【００３８】
又、雄実状連接具（６）の実部（６ａ）に形成された段部と縦枠用ヒレ状体（９）の先端部とを近接配置することで、ドアパネル開閉の際、縦枠用ヒレ状体（９）が雄実状連接具（６）に押接されるので、開閉の際にも光が漏れてくることはない。
【００３９】
又、ヒレ状体（３）を目立たなくすることができる。縦枠（１０）の壁面（１１）から突出させた一辺の内側に縦枠用ヒレ状体（９）を設けるので間仕切った空間側からみえにくくすることができる。
【００４０】
【発明の効果】
上述の如く、請求項１記載の発明によれば、ヒレ状体をスライドパネルに当接させることなくレールとスライドパネルとの隙間から漏れてくる光の進入を防ぐことができる。
【００４１】
そして、請求項２記載の発明によれば、走行具をヒレ状体と縦板とで隠すことができる。
【００４２】
そして、請求項３記載の発明によれば、ドアパネルの吊元側から漏れてくる光の進入を防ぐことができる。
【００４３】
そして、請求項４記載の発明によれば、ヒレ状体を目立たなくすることができる。
【図面の簡単な説明】
【図１】本発明の一実施の形態である可動間仕切りの縦断面示す説明図である。
【図２】該可動間仕切りの横断面を示す説明図である。
【図３】該可動間仕切りのドアパネル近傍の横断面を示す説明図である
【図４】本発明の従来例である可動間仕切り縦断面を示す説明図である。
【図５】本発明の従来例である可動間仕切り横断面を示す説明図である。
【図６】本発明の従来例である可動間仕切りのドアパネル近傍の横縦断面を示す説明図である。
【図７】本発明の一実施の形態である可動間仕切りと、本発明の従来例である可動間仕切りを示す共通の概略斜視図である。
【図８】本発明の一実施の形態である可動間仕切りと、本発明の従来例である可動間仕切りを示す共通の概略斜視図である。
【符号の説明】
１    レール
２    スライドパネル
３    ヒレ状体
４    縦板
５    走行具
６    雄実状連接具
６ａ  実部
７    雌実状連接具
８    ドアパネル
９    縦枠用ヒレ状体
１０  縦枠
１１  壁面
【図１】
0003633467.tif 000002
【図２】
0003633467.tif 000003
【図３】
0003633467.tif 000004
【図４】
0003633467.tif 000005
【図５】
0003633467.tif 000006
【図６】
0003633467.tif 000007
【図７】
0003633467.tif 000008
【図８】
0003633467.tif 000009